(57)【要約】【課題】蓋部材がケーシング上部に装着された状態では電源がオフ状態になるよう構成し、発熱体の周辺部材が発熱体の発熱によって熱負荷を受けてしまうのを防止した香炉器具を提供する。【解決手段】ユーザが電源をオフすることを忘れ、スイッチレバー１３を下側へ移動させずにキャップ３０を本体ケース１０の頭部に装着した場合、キャップ３０の先端３０Ｂがスイッチレバー１３の突起１３１の上面１３１Ａに当接して突起１３１が押下する。この突起１３１が押下することにより、スイッチレバー１３が装着方向である下側へ一緒に押し下がる。この結果、スイッチレバー１３のフック１３２がレバー４１を電源ボタン４２に押し当てるのを止めるため、電源スイッチ４０のオフ状態が得られる。よって、ユーザが電源をオフすることを忘れ、スイッチレバー１３を下側へ移動させずにキャップ３０を装着した場合でも、香炉器具１によれば電源が自動的にオフされる。【選択図】図３
2011115476.tif 000002
【特許請求の範囲】
【請求項１】
電源ボタンとレバーとを有する電源スイッチと、
前記電源スイッチのオン時に発熱して香剤がセットされた薄板を加熱する発熱体が上部に取り付けられるケーシングと、
前記ケーシングの上部に対して着脱自在であり、装着時に該上部を覆う蓋部材と、
前記ケーシングの側面に上下動自在に設けられ、前記電源スイッチのオンオフを受け付ける操作部材と、
前記操作部材が上側へ位置しているときに、前記操作部材をその位置で保持する保持機構と、を備え、
前記操作部材は、
前記操作部材が上側へ位置しているときに前記ケーシングの上部に露出し、前記蓋部材が装着されるときに前記蓋部材と当接して押下し、前記保持機構に保持されている前記操作部材を装着方向である下側へ押し下げる第１の突出部と、
前記操作部材が上側へ位置しているときに前記電源スイッチの前記レバーを前記電源ボタンに押し当てて前記電源スイッチをオンし、前記操作部材が下側へ押し下げられたときに前記レバーを前記電源ボタンから解離させて前記電源スイッチをオフする第２の突出部と、を有することを特徴とする香炉器具。
【請求項２】
前記蓋部材の内面には第１の突起が形成され、
前記ケーシングの上部には、前記蓋部材が装着されたときに前記第１の突起と係合する第２の突起が形成されたことを特徴とする請求項１に記載の香炉器具。
【請求項３】
前記ケーシングは、前記操作部材が下側へ位置しているときに、前記第１の突出部を収納する開口部が形成された形状であることを特徴とする請求項１又は２に記載の香炉器具。
【請求項４】
前記第１の突出部および前記第２の突出部は、前記操作部材とともに一体形成されることを特徴とする請求項１から３のいずれかに記載の香炉器具。
【発明の詳細な説明】
【技術分野】
【０００１】
この発明は、香木や香料等の香剤を薄板に載置して、発熱体の発熱によって香剤を加熱する香炉器具に関する。
【背景技術】
【０００２】
従来より、ヒータ等の発熱体の発熱によって香剤がセットされた薄板を電源オン時に加熱し、該香剤から香気を発生させる香炉器具が知られている。香剤は例えば香木や香料等であり、薄板の材質は、例えば雲母である。
【０００３】
ここで、従来の香炉器具では、ケーシングの上部に設けられた載置部に薄板を載置し、同じく上部に設けられた発熱体で薄板を加熱する構成となっている。また、同香炉器具では、電源スイッチのオンオフを受け付ける操作部材が上下動自在にケーシングの側面に取り付けられており、ユーザは、操作部材を上側へ上げて電源をオンし、操作部材を下側へ下げて電源をオフする構成となっている。さらに、同香炉器具は、ケーシングの上部に対して着脱自在であり装着時にケーシングの上部を覆う蓋部材を備えている。ユーザは、電源をオフしてから当該蓋部材をケーシングの上部に装着し、同香炉器具を携帯して持ち運んでいた。そして、ユーザは所望の場所に同香炉器具を設置していた。
【０００４】
なお、特許文献１において、電源コードを介してＡＣ商用電源に接続され、該ＡＣ商用電源を電源とした電気ヒータの発熱によって香剤を加熱する固定設置型の香炉器具が提案されている。
【先行技術文献】
【特許文献】
【０００５】
【特許文献１】特開平９−４２１公報
【発明の概要】
【発明が解決しようとする課題】
【０００６】
しかしながら、上記従来の香炉器具において、ユーザが電源をオフすることを忘れ、操作部材をオフに切り替えずに蓋部材を装着してしまう場合があった。また、上記従来の香炉器具をユーザが携帯している時に、何らかの衝撃が操作部材に加わって操作部材がオンに切り替わってしまい、電源がオンしてしまう場合もあった。
これらの場合、蓋部材がケーシングの上部に装着された密閉状態で発熱体が発熱し続けるため、発熱体の周辺部材が発熱体の発熱によって熱負荷を受けてしまうという問題があった。特に、蓋部材がその熱負荷に耐えられず、軟化したり、最悪の場合、蓋部材が溶融したりするという問題があった。従って、従来の香炉器具では器具本体の信頼性が低かった。
【０００７】
この発明の目的は、蓋部材がケーシング上部に装着された状態では電源がオフ状態になるよう構成し、発熱体の周辺部材が発熱体の発熱によって熱負荷を受けてしまうのを防止した香炉器具を提供することにある。
【課題を解決するための手段】
【０００８】
本発明の香炉器具は、前記課題を解決するために以下の構成を備えている。
【０００９】
（１）電源ボタンとレバーとを有する電源スイッチと、
前記電源スイッチのオン時に発熱して香剤がセットされた薄板を加熱する発熱体が上部に取り付けられるケーシングと、
前記ケーシングの上部に対して着脱自在であり、装着時に該上部を覆う蓋部材と、
前記ケーシングの側面に上下動自在に設けられ、前記電源スイッチのオンオフを受け付ける操作部材と、
前記操作部材が上側へ位置しているときに、前記操作部材をその位置で保持する保持機構と、を備え、
前記操作部材は、
前記操作部材が上側へ位置しているときに前記ケーシングの上部に露出し、前記蓋部材が装着されるときに前記蓋部材と当接して押下し、前記保持機構に保持されている前記操作部材を装着方向である下側へ押し下げる第１の突出部と、
前記操作部材が上側へ位置しているときに前記電源スイッチの前記レバーを前記電源ボタンに押し当てて前記電源スイッチをオンし、前記操作部材が下側へ押し下げられたときに前記レバーを前記電源ボタンから解離させて前記電源スイッチをオフする第２の突出部と、を有することを特徴とする。
【００１０】
この構成では、電源をオンするとき、ユーザは蓋部材を外して操作部材を上側へ持ち上げる。すると、操作部材の第２の突出部がレバーを電源ボタンに押し当てる。これにより、電源スイッチのオン状態が得られる。
【００１１】
この構成において、ユーザが電源をオフすることを忘れ、操作部材を下側へ移動させずに蓋部材を装着した場合、蓋部材が操作部材の第１の突出部に当接して第１の突出部が押下する。この第１の突出部が押下することにより、操作部材が装着方向である下側へ一緒に押し下がる。この結果、操作部材の第２の突出部がレバーを電源ボタンに押し当てるのを止めるため、レバーが電源ボタンから解離する。これにより、電源スイッチのオフ状態が得られる。よって、ユーザが電源をオフすることを忘れ、操作部材を下側へ移動させずに蓋部材を装着した場合でも、この構成によれば電源が自動的にオフされる。
【００１２】
また、香炉器具をユーザが携帯している時に、何らかの衝撃が操作部材に加わった場合でも、蓋部材の重さによって蓋部材がケーシングの上部に装着されているため、香炉器具の携帯中に操作部材が簡単に上側へ移動してしまうこともなくなる。即ち、香炉器具の携帯中に電源がオンしてしまうのを防止できる。
【００１３】
よって、ユーザが電源をオフすることを忘れ、操作部材を下側へ移動させずに蓋部材を装着した場合でも、または、香炉器具をユーザが携帯している時に、何らかの衝撃が操作部材に加わった場合でも、蓋部材がケーシングの上部に装着された密閉状態で発熱体が発熱しないため、発熱体の周辺部材が熱負荷を受けてしまうのを防止できる。よって、蓋部材がその熱負荷に耐えられず、軟化したり、蓋部材が溶融したりする事態を防止できる。従って、器具本体の信頼性の向上が図れる。
【００１４】
（２）前記蓋部材の内面には第１の突起が形成され、
前記ケーシングの上部には、前記蓋部材が装着されたときに前記第１の突起と係合する第２の突起が形成されたことを特徴とする。
【００１５】
この構成では、香炉器具をユーザが携帯している時に、何らかの衝撃が操作部材に加わった場合でも、蓋部材の第１の突起とケーシングの第２の突起との係合い及び蓋部材の重さによって蓋部材がケーシングの上部に装着されているため、香炉器具の携帯中に操作部材が簡単に上側へ移動してしまうこともなくなる。即ち、香炉器具の携帯中に電源がオンしてしまうのを防止できる。
よって、ユーザが電源をオフすることを忘れ、操作部材を下側へ移動させずに蓋部材を装着した場合でも、または、香炉器具をユーザが携帯している時に、何らかの衝撃が操作部材に加わった場合でも、蓋部材がケーシングの上部に装着された密閉状態で発熱体が発熱しないため、発熱体の周辺部材が熱負荷を受けてしまうのを防止できる。よって、蓋部材がその熱負荷に耐えられず、軟化したり、蓋部材が溶融したりする事態を防止できる。従って、器具本体の信頼性の向上が図れる。
【００１６】
（３）前記ケーシングは、前記操作部材が下側へ位置しているときに、前記第１の突出部を収納する開口部が形成された形状であることを特徴とする。
【００１７】
この構成では、蓋部材の装着時に第１の突出部が開口部に収納されるため、香剤を焚いて嗜む環境において香炉器具の意匠性を低下させることが無い。
【００１８】
（４）前記第１の突出部および前記第２の突出部は、前記操作部材とともに一体形成されることを特徴とする。
【００１９】
この構成では、第１の突出部および第２の突出部が操作部材とともに一体形成されるため、第１の突出部および第２の突出部を形成するために専用の部品が必要となったり製造工程数が増えたりすることも無い。従って、第１の突出部および第２の突出部を有する操作部材を安価なコストで形成できる。
【発明の効果】
【００２０】
この発明によれば、蓋部材がケーシングの上部に装着された密閉状態で発熱体が発熱しないため、発熱体の周辺部材が熱負荷を受けてしまうのを防止できる。よって、蓋部材がその熱負荷に耐えられず、軟化したり、蓋部材が溶融したりする事態を防止できる。従って、器具本体の信頼性の向上が図れる。
【図面の簡単な説明】
【００２１】
【図１】本発明の実施形態に係る香炉器具のキャップ非装着時の外観斜視図である。
【図２】本発明の実施形態に係る香炉器具のキャップ非装着時の側面図である。
【図３】本発明の実施形態に係る香炉器具のキャップ非装着時の要部断面図である。
【図４】本発明の実施形態に係る香炉器具のキャップの外観斜視図である。
【図５】本発明の実施形態に係る香炉器具のスイッチレバーの側面図と正面図である。
【図６】本発明の実施形態に係る香炉器具のキャップ装着時の側面図である。
【図７】本発明の実施形態に係る香炉器具のキャップ装着時の要部断面図である。
【発明を実施するための形態】
【００２２】
以下、本発明の実施形態に係る香炉器具について説明する。
【００２３】
図１は、本発明の実施形態に係る香炉器具のキャップ非装着時の外観斜視図である。図２は、同香炉器具のキャップ非装着時の側面図である。また、図３は、図１に示すＴ−Ｔ線における同香炉器具の要部断面図であり、主要部以外の断面の図示を省略している。香炉器具１は、本体ケース１０と、電熱ヒータ１１と、スイッチレバー１３と、ヒータガイド２０と、キャップ３０と、電源スイッチ４０とを備えている。
【００２４】
香炉器具１は、電熱ヒータ１１の発熱によって香剤がセットされた雲母板５０を加熱し、該香剤から香気を発生させる。雲母板５０は小型軽量で透明な雲母製の薄い円板であり、香剤は例えば香木や香料等である。ここで、香炉器具１は、香剤を焚いて嗜む環境において、侘び、寂、静寂、宗教的な情感等を生み出す雰囲気に馴染む。また、香炉器具１は、乾電池を電源とした携帯型の香炉器具であるため、立ち居振る舞いの際、固定設置型の香炉器具のように電源コードが邪魔になることも無く、商用電源が近くにない場所等においても使用できる。
【００２５】
なお、キャップ３０が、本発明の「蓋部材」に相当する。また、電熱ヒータ１１が、本発明の「発熱体」に相当する。また、本体ケース１０が、本発明の「ケーシング」に相当する。また、スイッチレバー１３が、本発明の「操作部材」に相当する。また、雲母板５０が、本発明の「薄板」に相当する。
【００２６】
本体ケース１０は、四角筒状の胴部と円筒状の頭部で形成されており、その断面形状は凸形状となっている。また、本体ケース１０の底部には複数本の乾電池をセットする電池収納部（不図示）が設けられている。また、本体ケース１０の内部には、レバー４１と電源ボタン４２とからなる電源スイッチ４０が設けられている。そして、本体ケース１０の側面には、その電源スイッチ４０のオンオフを受け付けるスイッチレバー１３が上下動自在に取り付けられている。ユーザは、スイッチレバー１３を矢印１６の方向である上側へ上げて電源をオンし、スイッチレバー１３を反対方向の下側へ下げて電源をオフする。複数本の乾電池から出力される電源電圧は、電源オン時に、この電源スイッチ４０を介して電熱ヒータ１１に供給される。
なお、この実施形態では、本体ケース１０が四角筒状の胴部と円筒状の頭部とで形成されているが、実施の際は、その他の形状（例えば円筒状の胴部と円筒状の頭部の組み合わせ）でも構わない。
【００２７】
また、ヒータガイド２０は、本体ケース１０の上面に嵌合されている。ヒータガイド２０には、香剤をセットする雲母板５０が矢印５１の方向から投入されるすり鉢状の投入口２１が形成されている。ヒータガイド２０は、投入口２１から投入された雲母板５０を載置するための載置台２２を有している。
【００２８】
電熱ヒータ１１は、ヒータガイド２０の上面を正面視してヒータガイド２０の中央となる本体ケース１０の上部に取り付けられる。電熱ヒータ１１は、電池を電源として発熱し、載置台２２に載置された雲母板５０を熱する。これにより、雲母板５０上にセットされた香剤に熱が伝わり、香剤から香気が発生する。
【００２９】
図４は、同香炉器具のキャップの外観斜視図である。キャップ３０は、円柱形の開口部を有する四角柱形状で形成されている。また、キャップ３０は、本体ケース１０の頭部に対して着脱自在であり装着時に雲母板５０を覆う。また、キャップ３０の内面には２つの突起３０Ａが形成されている。ここで、本体ケース１０の頭部にも、キャップ３０を本体ケース１０の頭部に装着させたときに２つの突起３０Ａと係合する輪形状の突起１０Ａが形成されている。２つの突起３０Ａが輪形状の突起１０Ａに引っかかることにより、キャップ３０が本体ケース１０の上部から容易に外れないようにしている。ユーザは、電源をオフしてからこのキャップ３０を本体ケース１０の頭部に装着し、香炉器具１を携帯して持ち運ぶ。そして、ユーザは所望の場所に香炉器具１を設置する。その後、ユーザは、キャップ３０を本体ケース１０から取り外して香炉器具１を使用する。
【００３０】
なお、この実施形態では、キャップ３０が、円柱形の開口部を有する四角柱形状で形成されているが、実施の際は、その他の形状（例えば断面が円形のコップ形状）でも構わない。また、突起３０Ａに関しても３つ以上形成して構わない。
【００３１】
図５Ａは、本発明の実施形態に係る香炉器具のスイッチレバーの側面図であり、図５Ｂは、同スイッチレバーの正面図である。図６は、本発明の実施形態に係る香炉器具のキャップ装着時の側面図であり、図７は、同香炉器具のキャップ装着時の要部断面図である。スイッチレバー１３は、突起１３１と、フック１３２と、スライド部１３３とが形成された形状となっている。突起１３１は、スイッチレバー１３が上側へ位置しているときに本体ケース１０の上部に露出し、キャップ３０が装着されるときにキャップ３０の先端３０Ｂと当接して押下する突起である。この突起１３１が押下することにより、スイッチレバー１３が連動して装着方向である下側へ押し下がる。また、フック１３２は、スイッチレバー１３が上側へ位置しているときに電源スイッチ４０のレバー４１を電源ボタン４２に押し当て、スイッチレバー１３が下側へ押し下げられたときにレバー４１を電源ボタン４２から解離させるフックである。スライド部１３３は、本体ケース１０内に設けられたスライド軸１０Ｃに対して上下動自在にスライドし、スライド部１３３が可動範囲の最も上側へ位置したときにストッパー１０Ｄを挟持してスイッチレバー１３を保持する部材である（図３、図７参照）。ここで、スライド部１３３は、可動範囲の最も上側へ位置したスイッチレバー１３が下降しないよう一定値以上の保持力によりスイッチレバー１３をその位置で保持する。この一定値の保持力とは、スイッチレバー１３及びレバー４１の重力と、レバー４１を電源ボタン４２に押し当てる時に発生する抗力と、を合計した力である。
なお、スライド部１３３及びストッパー１０Ｄが、本発明の「保持機構」に相当する。
【００３２】
また、本体ケース１０は、スイッチレバー１３が下側へ位置しているときに、スイッチレバー１３の突起１３１を収納する開口部１０Ｂが形成された形状となっている（図７参照）。
【００３３】
突起１３１、フック１３２、スライド部１３３及びスイッチレバー１３の材質は樹脂であり、突起１３１、フック１３２、スライド部１３３及びスイッチレバー１３はモールド金型を用いて射出成形することにより一体形成される。
なお、この実施形態では、突起１３１とフック１３２の材質が樹脂で射出成形により一体形成しているが、実施の際は、他の材質と他の形成方法を採用しても構わない。
【００３４】
以上の構成において、電源をオンするとき、ユーザはキャップ３０を外してスイッチレバー１３を上側へ持ち上げる（図１〜図３参照）。すると、図３に示すように、スイッチレバー１３のフック１３２がレバー４１を電源ボタン４２に押し当てる。これにより、電源ボタン４２が押下し、電源スイッチ４０のオン状態が得られる。
【００３５】
しかし、ユーザが電源をオフすることを忘れ、スイッチレバー１３を下側へ移動させずにキャップ３０を本体ケース１０の頭部に装着してしまう場合が考えられる。また、香炉器具１をユーザが携帯している時に、何らかの衝撃がスイッチレバー１３に加わってスイッチレバー１３が上側へ移動してしまい、電源がオンしてしまう場合も考えられる。そこで、この実施形態における香炉器具１では、これらのような場合でも以下のようにして電源をオフする。
【００３６】
ユーザが電源をオフすることを忘れ、スイッチレバー１３を下側へ移動させずにキャップ３０を本体ケース１０の頭部に装着した場合、キャップ３０の先端３０Ｂがスイッチレバー１３の突起１３１の上面１３１Ａに当接して突起１３１が押下する。この突起１３１が押下することにより、スイッチレバー１３が装着方向である下側へ一緒に押し下がる。この結果、スイッチレバー１３のフック１３２がレバー４１を電源ボタン４２に押し当てるのを止めるため、レバー４１が電源ボタン４２から解離する。これにより、電源スイッチ４０のオフ状態が得られる。よって、ユーザが電源をオフすることを忘れ、スイッチレバー１３を下側へ移動させずにキャップ３０を本体ケース１０の頭部に装着した場合でも、香炉器具１によれば電源が自動的にオフされる。
【００３７】
また、香炉器具１をユーザが携帯している時に、何らかの衝撃がスイッチレバー１３に加わった場合でも、キャップ３０の２つの突起３０Ａと本体ケース１０の突起１０Ａとの係合い及びキャップ３０の重さによって、キャップ３０が本体ケース１０の上部から容易に外れないようになっている。そのため、香炉器具１の携帯中にスイッチレバー１３が簡単に上側へ移動してしまうこともなくなる。即ち、香炉器具１の携帯中に電源がオンしてしまうのを防止できる。
【００３８】
よって、ユーザが電源をオフすることを忘れ、スイッチレバー１３を下側へ移動させずにキャップ３０を本体ケース１０の頭部に装着した場合でも、または、香炉器具１をユーザが携帯している時に、何らかの衝撃がスイッチレバー１３に加わった場合でも、キャップ３０が本体ケース１０の頭部に装着された密閉状態で電熱ヒータ１１が発熱しないため、電熱ヒータ１１の周辺部材が熱負荷を受けてしまうのを防止できる。特に、樹脂製のキャップ３０がその熱負荷に耐えられず、軟化したり、キャップ３０が溶融したりする事態を防止できる。従って、器具本体の信頼性の向上が図れる。
【００３９】
また、この実施形態ではキャップ３０の装着時に突起１３１が開口部１０Ｂに収納されるため、香剤を焚いて嗜む環境において香炉器具１の意匠性を低下させることが無い。
【００４０】
また、突起１３１、フック１３２及びスライド部１３３はスイッチレバー１３とともに射出成形することにより容易に一体形成できるため、突起１３１、フック１３２及びスライド部１３３を形成するために専用の部品が必要となったり製造工程数が増えたりすることも無い。従って、突起１３１、フック１３２及びスライド部１３３を有するスイッチレバー１３を安価なコストで形成できる。
【００４１】
なお、上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【符号の説明】
【００４２】
１…香炉器具
１０…本体ケース
１１…電熱ヒータ
１３…スイッチレバー
１６…矢印
２０…ヒータガイド
２１…投入口
２２…載置台
３０…キャップ
４０…電源スイッチ
４１…レバー
４２…電源ボタン
５０…雲母板
【図１】
2011115476.tif 000003
【図２】
2011115476.tif 000004
【図３】
2011115476.tif 000005
【図４】
2011115476.tif 000006
【図５】
2011115476.tif 000007
【図６】
2011115476.tif 000008
【図７】
2011115476.tif 000009